(57)【要約】【課題】タッチセンサーＩＣのハングアップ状態を他の制御対象へ悪影響を与えることなく確実に解消する。【解決手段】タッチセンサーＩＣと、赤外線受光部と、タッチセンサーＩＣおよび赤外線受光部のそれぞれと接続する制御部と、タッチセンサーＩＣ、赤外線受光部および制御部のそれぞれに対して電源供給を行なう電源供給回路と、を備える電子機器であって、制御部は、タッチセンサーＩＣとタッチセンサーＩＣとは異なる制御対象部とに対して共通の制御用ポートを介して接続しており、赤外線受光部が電子機器の電源オンを指示する赤外線信号を受光した場合、電源供給回路からタッチセンサーＩＣへの電源供給を遮断させ且つ当該遮断後にタッチセンサーＩＣへの電源供給を再開させることにより、タッチセンサーＩＣを再起動させる。【選択図】図２
2013097597.tif 000002
【特許請求の範囲】
【請求項１】
タッチセンサーＩＣと、
赤外線受光部と、
タッチセンサーＩＣおよび赤外線受光部のそれぞれと接続する制御部と、
タッチセンサーＩＣ、赤外線受光部および制御部のそれぞれに対して電源供給を行なう電源供給回路と、を備える電子機器であって、
制御部は、
タッチセンサーＩＣとタッチセンサーＩＣとは異なる制御対象部とに対して共通の制御用ポートを介して接続しており、
赤外線受光部が電子機器の電源オンを指示する赤外線信号を受光した場合、電源供給回路からタッチセンサーＩＣへの電源供給を遮断させ且つ当該遮断後にタッチセンサーＩＣへの電源供給を再開させることにより、タッチセンサーＩＣを再起動させる、
ことを特徴とする電子機器。
【請求項２】
上記制御部は、タッチセンサーＩＣが出力する信号を入力するための入力ポートを備え、電源供給回路からタッチセンサーＩＣへの電源供給を遮断する期間を含む所定期間内は、上記制御用ポートおよび入力ポートの信号レベルを強制的に無信号状態に維持することを特徴とする請求項１に記載の電子機器。
【請求項３】
タッチセンサーＩＣと、
赤外線受光部と、
放送信号を受信するためのチューナと、
タッチセンサーＩＣ、赤外線受光部およびチューナのそれぞれと接続する制御部と、
タッチセンサーＩＣ、赤外線受光部および制御部のそれぞれに対して電源供給を行なう電源供給回路と、を備えるテレビジョンであって、
電源供給回路は、テレビジョンがスタンバイ状態にあっても上記電源供給を継続する回路であり、
制御部は、
シリアル通信に対応したバスと接続した制御用ポートと、
タッチセンサーＩＣが出力する信号を入力するための第１入力ポートと、
赤外線受光部が出力する信号を入力するための第２入力ポートと、
電源供給回路がタッチセンサーＩＣへ電源供給するための電源ライン上のスイッチを制御するための電源ライン制御ポートと、を有し、
制御用ポートは上記バスを介してタッチセンサーＩＣおよびチューナに接続しており、
赤外線受光部がテレビジョンの電源オンを指示する赤外線信号を受光した場合、電源ライン制御ポートから上記スイッチをオフ状態に切換える制御を一定期間実行して、電源供給回路からタッチセンサーＩＣへの電源供給を当該一定期間遮断させ且つ当該遮断後にタッチセンサーＩＣへの電源供給を再開させることにより、タッチセンサーＩＣを再起動させ、
且つ、電源供給回路からタッチセンサーＩＣへの電源供給の遮断開始と同時に制御用ポートおよび第１入力ポートの信号レベルを強制的に無信号状態とし、上記一定期間よりも所定期間だけ長く当該無信号状態を維持する、
ことを特徴とするテレビジョン。
【発明の詳細な説明】
【技術分野】
【０００１】
本発明は、電子機器およびテレビジョンに関する。
【背景技術】
【０００２】
ユーザーの指等による被接触部（ボタンやタッチパネル）への接触を検知するタッチセンサーＩＣが知られている。このようなタッチセンサーＩＣは、ハングアップ（或いはフリーズ）してしまうことが一つの課題であった。
【０００３】
ここで、ソフトウェア処理を実行する第１制御部と別に、ハードウェアで構成した第２制御部を設け、電源キーが所定時間以上にわたり継続して押されたとき第２制御部は第１制御部に対してリセット信号を送出することにより、第１制御部のフリーズ状態を解消する構成が知られている（特許文献１参照）。
【先行技術文献】
【特許文献】
【０００４】
【特許文献１】特開２０１０‐２６７１８８号公報
【発明の概要】
【発明が解決しようとする課題】
【０００５】
タッチセンサーＩＣは、それをリセットさせるためのリセット端子を備えていることがある。ただし、リセット端子に対して上記文献１のようにリセット信号を送出した場合であっても、タッチセンサーＩＣを確実にリセットできるとは限らずハングアップしたままのこともある。また、タッチセンサーＩＣを搭載した電子機器において、タッチセンターＩＣをスレーブとし、マスターとして機能する側のＩＣ（メインＩＣ）がタッチセンサーＩＣへの制御用バスを通じた指令にてタッチセンサーＩＣをリセットさせることが可能である。しかし、当該バスがタッチセンサーＩＣとは別の制御対象とも繋がっていることがある。このような場合、当該別の制御対象に対する制御中にマスターがタッチセンサーＩＣと通信を行うと、当該別の制御対象の動作が不安定になることがある。そのため、当該マスターからタッチセンサーＩＣへの制御用バスを通じた指令にてタッチセンサーＩＣをリセットさせる手法も、タッチセンサーＩＣのハングアップ状態を解消するための最適な手法とは言えなかった。
【０００６】
本発明は上記課題を解決するためになされたものであり、タッチセンサーＩＣのハングアップ状態を、他の制御対象へ影響を与えることなく、確実に解消することが可能な電子機器およびテレビジョンを提供する。
【課題を解決するための手段】
【０００７】
本発明の態様の一つは、タッチセンサーＩＣと、赤外線受光部と、タッチセンサーＩＣおよび赤外線受光部のそれぞれと接続する制御部と、タッチセンサーＩＣ、赤外線受光部および制御部のそれぞれに対して電源供給を行なう電源供給回路と、を備える電子機器であって、制御部は、タッチセンサーＩＣとタッチセンサーＩＣとは異なる制御対象部とに対して共通の制御用ポートを介して接続しており、赤外線受光部が電子機器の電源オンを指示する赤外線信号を受光した場合、電源供給回路からタッチセンサーＩＣへの電源供給を遮断させ且つ当該遮断後にタッチセンサーＩＣへの電源供給を再開させることにより、タッチセンサーＩＣを再起動させる構成としてある。
【０００８】
当該構成によれば、赤外線受光部が電子機器の電源オンの指示（赤外線によるリモートコントロール信号）を受けると、自動的にタッチセンサーＩＣへの電源供給が遮断、再開されることでタッチセンサーＩＣが再起動するため、仮にタッチセンサーＩＣがハングアップ状態に陥っていたとしても、電子機器の電源オンとほぼ同時にハングアップ状態が解消される。また、上記制御用ポートを介したタッチセンサーＩＣへの指示によってタッチセンサーＩＣを再起動させるものではないため、上記制御対象部への制御に悪影響を与えることもない。
【図面の簡単な説明】
【０００９】
【図１】電子機器の構成を概略的に示したブロック図である。
【図２】電子機器の構成の一部であって主にタッチセンサーＩＣ再起動処理に関する構成を示した図である。
【図３】タッチセンサーＩＣ再起動処理に関わるシーケンス図である。
【発明を実施するための形態】
【００１０】
本発明の実施形態として、上記制御部は、タッチセンサーＩＣが出力する信号を入力するための入力ポートを備え、電源供給回路からタッチセンサーＩＣへの電源供給を遮断する期間を含む所定期間内は、上記制御用ポートおよび入力ポートの信号レベルを強制的に無信号状態に維持するとしてもよい。
また、本発明の実施形態として、タッチセンサーＩＣと、赤外線受光部と、放送信号を受信するためのチューナと、タッチセンサーＩＣ、赤外線受光部およびチューナのそれぞれと接続する制御部と、タッチセンサーＩＣ、赤外線受光部および制御部のそれぞれに対して電源供給を行なう電源供給回路と、を備えるテレビジョンであって、電源供給回路は、テレビジョンがスタンバイ状態にあっても上記電源供給を継続する回路であり、制御部は、シリアル通信に対応したバスと接続した制御用ポートと、タッチセンサーＩＣが出力する信号を入力するための第１入力ポートと、赤外線受光部が出力する信号を入力するための第２入力ポートと、電源供給回路がタッチセンサーＩＣへ電源供給するための電源ライン上のスイッチを制御するための電源ライン制御ポートと、を有し、制御用ポートは上記バスを介してタッチセンサーＩＣおよびチューナに接続しており、赤外線受光部がテレビジョンの電源オンを指示する赤外線信号を受光した場合、電源ライン制御ポートから上記スイッチをオフ状態に切換える制御を一定期間実行して、電源供給回路からタッチセンサーＩＣへの電源供給を当該一定期間遮断させ且つ当該遮断後にタッチセンサーＩＣへの電源供給を再開させることにより、タッチセンサーＩＣを再起動させ、且つ、電源供給回路からタッチセンサーＩＣへの電源供給の遮断開始と同時に制御用ポートおよび第１入力ポートの信号レベルを強制的に無信号状態とし、上記一定期間よりも所定期間だけ長く当該無信号状態を維持する、構成としてもよい。
【００１１】
以下、図面を参照しながら本発明の実施形態を説明する。
図１は、本実施形態にかかる電子機器１０の構成を概略的に示したブロック図である。ここでは一例として、電子機器１０はテレビジョンであるとしている。電子機器１０は、チューナ１１、システムオンチップ（ＳｏＣ）１２、タイミングコントローラ（Ｔ‐ＣＯＮ）１３、表示パネル１４、タッチセンサーＩＣ１５、赤外線（ＩＲ）受光部１６、電源回路１７などを備える。表示パネル１４は、例えば液晶パネルやプラズマディスプレイパネル等である。
【００１２】
ＳｏＣ１２は、電子機器１０全体を制御するためのワンチップ化された集積回路（メインＩＣ）であり、ＣＰＵや各種メモリー（ＲＯＭやＲＡＭ等）を搭載する。ＳｏＣ１２は制御部に該当する。電源回路１７は、外部の商用電源から電源コード（不図示）を介して取得される交流電圧を所定レベルの直流電圧に変換し、電子機器１０内の各部へ必要なレベルの電圧を供給する。チューナ１１は、ＳｏＣ１２による制御下で、放送信号を受信し、中間周波信号（ＩＦ）をＳｏＣ１２へ出力する（図２参照）。ＳｏＣ１２は、ＩＦに基づいて映像信号や音声信号をデコードしたり、映像信号に対して所定の補正や画質調整を実行し、映像信号をＴ‐ＣＯＮ１３へ出力する。Ｔ‐ＣＯＮ１３は、入力した映像信号をフレームメモリ（図示せず）に一時的に保存しつつ、当該保存した信号に対応する駆動信号を所定のタイミングで表示パネル１４に出力することにより、画素の配列により構成された表示パネル１４の各画素を駆動して表示パネル１４に映像信号に基づく映像を表示させる。
【００１３】
電子機器１０は、図１に示した構成以外にも、映像や音声を外部から入力するための外部入力端子や、その他、音声信号処理回路やスピーカなど、テレビジョンを構成する上で必要な公知の各構成を備え得る。また、電子機器１０は必ずしもテレビジョンである必要は無く、制御部、タッチセンサーＩＣ、ＩＲ受光部、電源回路などを備える電気製品であれば、あらゆる製品が本発明の電子機器の構成を採用できる。
【００１４】
ＳｏＣ１２は、上記メモリーに記憶された所定のプログラムに従った機能の一つとして、後述するようなタッチセンサーＩＣ再起動処理を実行する。
図２は、電子機器１０の構成の一部であって、主にタッチセンサーＩＣ再起動処理に関する構成を示している。タッチセンサーＩＣ１５およびＩＲ受光部１６は、センサー基板２０に搭載されており、一方、ＳｏＣ１２やチューナ１１は、デジタル基板３０に搭載されている。センサー基板２０およびデジタル基板３０は、いずれも電子機器１０の筺体（不図示）の所定位置に収容される基板である。
【００１５】
タッチセンサーＩＣ１５には、被接触部（ボタンやタッチパネル）１５ａが接続されており、ユーザーは、被接触部１５ａに任意にタッチすることで、電源オン／オフ、チャンネルのアップ／ダウン、音声ボリュームのアップ／ダウン等の指示を入力することができる。タッチセンサーＩＣ１５は、被接触部１５ａにおける接触を電気的に検知し、検知結果に応じた波形のアナログ信号（ＫＥＹ‐ＩＮ信号）をＳｏＣ１２に対して出力する。ＳｏＣ１２は、複数備えるポートのうち、ポート１２ｃにてＫＥＹ‐ＩＮ信号を入力し、ＫＥＹ‐ＩＮ信号をアナログデジタル変換することで、被接触部１５ａを介したユーザーからの指示を認識する。ポート１２ｃは、第１入力ポートに該当する。
【００１６】
ＩＲ受光部１６は、ユーザーが操作するリモートコントロール装置（不図示）から発せられる赤外線信号の受光、光電変換を行い、光電変換後の電子信号をＳｏＣ１２に対して出力する。ＳｏＣ１２は、ポート１２ｅにてＩＲ受光部１６からの信号を入力し、アナログデジタル変換することで、リモートコントロール装置を介したユーザーからの指示を認識する。ポート１２ｅは、第２入力ポートに該当する。
【００１７】
タッチセンサーＩＣ１５は、さらに、ＳｏＣ１２とシリアル通信に対応したバス（Ｉ２Ｃバス）によって接続されている。ＳｏＣ１２側では、このＩ２Ｃバスとポート１２ｂによって接続しており、かつ当該Ｉ２Ｃバスは、チューナ１１とも接続している。つまりＳｏＣ１２は、ポート１２ｂおよびＩ２Ｃバスを介して、チューナ１１およびタッチセンサーＩＣ１５をそれぞれ制御する。チューナ１１に対する制御とは、放送信号からの選局動作等であり、タッチセンサーＩＣ１５に対する制御とは、例えば、タッチセンサーＩＣ１５のバージョン情報の確認や、被接触部１５ａの設定等である。ポート１２ｂは、制御用ポートに該当する。
【００１８】
電源回路１７は、その機能の一部として、タッチセンサーＩＣ１５、ＩＲ受光部１６、ＳｏＣ１２のそれぞれに対して＋３．３Ｖの電源供給を常時行なう。ここでいう“常時”とは、外部の商用電源に電子機器１０の電源コードが接続されている場合という意味であり、電子機器１０がいわゆるスタンバイ状態やスリープ状態であっても、この＋３．３Ｖが供給される箇所は稼働できる状態にある（ただし、タッチセンサーＩＣ１５がハングアップ状態となっていることもある）。図２では、この常時供給される＋３．３Ｖを「ＡＬＬ＋３．３Ｖ」と表記している。ＳｏＣ１２は、ポート１２ａにおいてＡＬＬ＋３．３Ｖの供給を受ける。この意味で、図２に示した電源回路１７および電源回路１７から延出するラインは、請求項に言う電源供給回路に該当する。
【００１９】
さらにＳｏＣ１２は、ポート１２ｄを有する。ポート１２ｄは、電源供給回路がタッチセンサーＩＣ１５へＡＬＬ＋３．３Ｖを供給するための電源ライン上のスイッチＳＷを制御するための電源ライン制御ポートである。ＳｏＣ１２は、ポート１２ｄからスイッチイネーブル信号（ＳＷ‐ＥＮ信号）を出力することにより、スイッチＳＷにおける入り切りを制御可能である。
【００２０】
［タッチセンサーＩＣ再起動処理］
電子機器１０がスタンバイ状態において、ユーザーがリモートコントロール装置を操作して電子機器１０の電源オン（ＰＯＷＥＲ‐ＯＮ）の操作を行なうと、ＩＲ受光部１６は、ＰＯＷＥＲ‐ＯＮの指示に対応した赤外線信号を受光する。その結果、ＳｏＣ１２は、ポート１２ｅを介してＰＯＷＥＲ‐ＯＮの指示を受け付け、スタンバイ状態にあった電子機器１０の各部を起動させる。またＳｏＣ１２は、ＰＯＷＥＲ‐ＯＮの指示を受け付けたら、即座に、ポート１２ｄからスイッチＳＷに対して特定波形のＳＷ‐ＥＮ信号を出力する。
【００２１】
図３は、タッチセンサーＩＣ再起動処理に関わるシーケンス図である。ＰＯＷＥＲ‐ＯＮの指示があった直後、ＳｏＣ１２はＳＷ‐ＥＮ信号のレベルをハイ（Ｈ）レベルからロー（Ｌ）レベルへ切り換え、Ｌレベルを一定期間（例えば、１００ｍｓｅｃ）維持し、再びＨレベルへ戻す。スイッチＳＷは、ＳＷ‐ＥＮ信号がＨレベルのときにオン状態となり、ＳＷ‐ＥＮ信号がＬレベルのときにオフ状態となる。従って図２の構成においては、ＳＷ‐ＥＮ信号がＬレベルとなる一定期間は、タッチセンサーＩＣ１５へのＡＬＬ＋３．３Ｖの供給が遮断される。このようにタッチセンサーＩＣ１５への電源供給が一定期間遮断され、再びタッチセンサーＩＣ１５への電源供給が行なわれることにより、タッチセンサーＩＣ１５は強制的に再起動（リセット）される。
【００２２】
さらに本実施形態では、図３に示すように、ＳｏＣ１２はＳＷ‐ＥＮ信号をＨレベルからＬレベルへ切り換えるタイミングと同時に、ポート１２ｂの信号レベルおよびポート１２ｃの信号レベル（ＫＥＹ‐ＩＮ）も強制的にＨレベルからＬレベル（無信号状態）に切り換える。図３において、ＳＣＬはＩ２Ｃバスを構成するクロックラインの信号レベルを意味し、ＳＤＡはＩ２Ｃバスを構成するデータラインの信号レベルを意味する。なお、ポート１２ｂおよびポート１２ｃの信号レベルをＬレベルに維持する期間は、ＳＷ‐ＥＮ信号をＬレベルに維持する期間よりもやや長くする（例えば、１５０ｍｓｅｃ）。
【００２３】
このように本実施形態によれば、ユーザーがリモートコントロール装置を操作して、スタンバイ状態にある電子機器１０をＰＯＷＥＲ‐ＯＮさせるときに、タッチセンサーＩＣ１５に対する電源供給が一時的に遮断されることでタッチセンサーＩＣ１５が必ずリセットされる。つまり、タッチセンサーＩＣ１５が仮にハングアップ状態となっていても、電子機器１０がＰＯＷＥＲ‐ＯＮされるときに、併せてタッチセンサーＩＣ１５が必ずリセットされるため、ユーザーは、電子機器１０をＰＯＷＥＲ‐ＯＮさせた後は、正常に動作するタッチセンサーＩＣ１５の機能を享受することができる。また、本実施形態は、ポート１２ｂおよびＩ２Ｃバスを介したＳｏＣ１２からタッチセンサーＩＣ１５への指示によってタッチセンサーＩＣ１５をリセットさせるものではない。そのため、Ｉ２Ｃバスが繋がった他の制御対象部（チューナ１１）へのＳｏＣ１２による制御処理に影響を与えることもない。なお、ＳｏＣ１２とポート１２ｂおよびＩ２Ｃバスで接続される上記他の制御対象部としては、チューナ１１以外にも、例えば、ＨＤＭＩ（High-Definition Multimedia Interface）切換スイッチ等が考えられる。
【００２４】
さらに本実施形態では、タッチセンサーＩＣ１５への電源供給を遮断する一定期間を含む期間（当該一定期間よりも長い期間）において、ポート１２ｂの信号レベルおよびポート１２ｃの信号レベルを強制的に無信号状態とする。これにより、リセット処理中のタッチセンサーＩＣ１５に対して無用の電圧がかかることを防止し、タッチセンサーＩＣ１５の誤動作や破壊が生じないようにしている。
【符号の説明】
【００２５】
１０…電子機器、１１…チューナ、１２…ＳｏＣ、１２ａ，１２ｂ，１２ｃ，１２ｄ，１２ｅ…ポート、１５…タッチセンサーＩＣ、１６…ＩＲ受光部、１７…電源回路
【図１】
2013097597.tif 000003
【図２】
2013097597.tif 000004
【図３】
2013097597.tif 000005